【手続補正書】
【提出日】平成27年3月2日(2015.3.2)
【手続補正１】
【補正対象書類名】特許請求の範囲
【補正対象項目名】全文
【補正方法】変更
【補正の内容】
【特許請求の範囲】
【請求項１】
発光モジュールの光出口窓を介して光を発するための前記発光モジュールであって、
前記光出口窓に面し、基底の光反射面によって反射される光量と、前記基底の該光反射面に当たる光量との間の比率によって定められる基底反射係数を有する、前記光反射面を含む前記基底と、
前記光出口窓の方に向く上面を含み、少なくとも１つの固体発光素子によって反射される光量と、前記少なくとも１つの固体発光素子の前記上面に当たる光量との間の比率によって定められる固体発光素子反射係数を有し、第１の色の範囲の光を発する、前記基底上に設けられる前記少なくとも１つの固体発光素子と、
部分的に拡散性の反射層であって、前記光出口窓が前記部分的に拡散性の反射層の少なくとも一部を含み、前記少なくとも１つの固体発光素子の前記上面と前記部分的に拡散性の反射層との間に隔たりがある、前記部分的に拡散性の反射層と、
前記基底と前記光出口窓との間に入れられる壁とを含み、前記基底、前記壁、及び前記光出口窓が空洞を囲み、前記壁が前記空洞の方を向く光反射壁面を含み、前記光反射壁面が、前記光反射壁面によって反射される光量と前記光反射壁面に当たる光量との間の比率によって定められる壁反射係数を有し、
固体発光素子面積比（ρＳＳＬ）が、前記少なくとも１つの固体発光素子の前記上面の面積と、前記基底の反射面の面積及び前記壁の前記反射面の面積の和との間の比率として定められ、
実効反射係数の値は、１と前記固体発光素子反射係数との差に因子ｃを掛けた値に、前記固体発光素子反射係数を加えた値よりも大きく、
ρＳＳＬ＞０．２５では０．４≦ｃ≦１であり、前記実効反射係数が、前記基底反射係数及び前記壁反射係数の加重平均である、
発光モジュール。
【請求項２】
前記部分的に拡散性の反射層が、前記第１の色の範囲の前記光の少なくとも一部を第２の色の範囲の光に変換するための発光材料を含む、請求項１に記載の発光モジュール。
【請求項３】
複数の固体発光素子を含み、前記固体発光素子のそれぞれが特定の色の範囲で光を発し、前記固体発光素子のそれぞれが上面を有し、前記固体発光素子反射係数が、前記複数の固体発光素子の前記反射係数の平均値として定められる、請求項１又は２に記載の発光モジュール。
【請求項４】
前記少なくとも１つの固体発光素子の前記上面と前記部分的に拡散性の反射層との間の距離は、０＜ρＳＳＬ＜０．１では、前記少なくとも１つの固体発光素子の前記上面の最大直線寸法に０．３を掛けた最小値、及び前記少なくとも１つの固体発光素子の前記上面の前記最大直線寸法に５を掛けた最大値を有する範囲内の値であり、前記少なくとも１つの固体発光素子の前記上面と前記部分的に拡散性の反射層との間の前記距離は、０．１≦ρＳＳＬ≦０．２５では、前記少なくとも１つの固体発光素子の前記上面の前記最大直線寸法に０．１５を掛けた最小値、及び前記少なくとも１つの固体発光素子の前記上面の前記最大直線寸法に３を掛けた最大値を有する範囲内の値であり、前記少なくとも１つの固体発光素子の前記上面と前記部分的に拡散性の反射層との間の前記距離は、ρＳＳＬ＞０．２５では、前記少なくとも１つの固体発光素子の前記上面の前記最大直線寸法に０．１を掛けた最小値、及び前記少なくとも１つの固体発光素子の前記上面の前記最大直線寸法に２を掛けた最大値を有する範囲内の値であり、
前記少なくとも１つの固体発光素子の前記上面の前記最大直線寸法は、前記少なくとも１つの固体発光素子の前記上面のある点から、前記少なくとも１つの固体発光素子の前記上面の別の点までの直線に沿った最長距離として定められる、
請求項１又は２に記載の発光モジュール。
【請求項５】
前記壁反射係数が９５％未満であり、前記少なくとも１つの固体発光素子の前記上面と前記部分的に拡散性の反射層との間の前記距離は、０＜ρＳＳＬ＜０．１では、前記少なくとも１つの固体発光素子の前記上面の前記最大直線寸法に０．３を掛けた最小値、及び前記少なくとも１つの固体発光素子の前記上面の前記最大直線寸法に０．７５を掛けた値未満の最大値を有する範囲内の値であり、前記少なくとも１つの固体発光素子の前記上面と前記部分的に拡散性の反射層との間の前記距離は、０．１≦ρＳＳＬ≦０．２５では、前記少なくとも１つの固体発光素子の前記上面の前記最大直線寸法に０．１５を掛けた最小値、及び前記少なくとも１つの固体発光素子の前記上面の前記最大直線寸法に０．３を掛けた値未満の最大値を有する範囲内の値であり、又は前記少なくとも１つの固体発光素子の前記上面と前記部分的に拡散性の反射層との間の前記距離は、ρＳＳＬ＞０．２５では、前記少なくとも１つの固体発光素子の前記上面の前記最大直線寸法に０．１を掛けた最小値、及び前記少なくとも１つの固体発光素子の前記上面の前記最大直線寸法に０．２を掛けた値未満の最大値を有する範囲内の値である、請求項４に記載の発光モジュール。
【請求項６】
前記壁反射係数が９５％以上であり、前記少なくとも１つの固体発光素子の前記上面と前記部分的に拡散性の反射層との間の前記距離は、０＜ρＳＳＬ＜０．１では、前記少なくとも１つの固体発光素子の前記上面の前記最大直線寸法に０．７５を掛けた最小値、及び前記少なくとも１つの固体発光素子の前記上面の前記最大直線寸法に２を掛けた最大値を有する範囲内の値であり、前記少なくとも１つの固体発光素子の前記上面と前記部分的に拡散性の反射層との間の前記距離は、０．１≦ρＳＳＬ≦０．２５では、前記少なくとも１つの固体発光素子の前記上面の前記最大直線寸法に０．３を掛けた最小値、及び前記少なくとも１つの固体発光素子の前記上面の前記最大直線寸法に０．７を掛けた最大値を有する範囲内の値であり、又は前記少なくとも１つの固体発光素子の前記上面と前記部分的に拡散性の反射層との間の前記距離は、ρＳＳＬ＞０．２５では、前記少なくとも１つの固体発光素子の前記上面の前記最大直線寸法に０．２を掛けた最小値、及び前記少なくとも１つの固体発光素子の前記上面の前記最大直線寸法に０．５を掛けた最大値を有する範囲内の値である、請求項４に記載の発光モジュール。
【請求項７】
前記基底の前記反射面の少なくとも一部が、前記少なくとも１つの固体発光素子の前記上面よりも前記部分的に拡散性の反射層に近く、
前記上面と前記部分的に拡散性の反射層との間の距離は、０＜ρＳＳＬ＜０．１では、０．４＊ｄＳＳＬ＋Δｈ／２の最小値及び５＊ｄＳＳＬ＋Δｈ／２の最大値を有する範囲内の値であり、
前記上面と前記部分的に拡散性の反射層との間の前記距離は、０．１≦ρＳＳＬ≦０．２５では、０．１５＊ｄＳＳＬ＋Δｈ／２の最小値及び３＊ｄＳＳＬ＋Δｈ／２の最大値を有する範囲内の値であり、
前記上面と前記部分的に拡散性の反射層との間の前記距離は、ρＳＳＬ＞０．２５では、０．１＊ｄＳＳＬ＋Δｈ／２の最小値及び２＊ｄＳＳＬ＋Δｈ／２の最大値を有する範囲内の値であり、
Δｈは、前記少なくとも１つの固体発光素子の前記上面と前記部分的に拡散性の反射層との間の前記距離と、前記反射基底面と前記部分的に拡散性の反射層との間の最短距離との差の絶対値である、
請求項１に記載の発光モジュール。
【請求項８】
前記光出口窓の方への光の前記反射を増やすために、前記光反射壁面が前記基底の垂直軸に対して傾けられ、又は前記光出口窓の方への光の前記反射を増やすために前記光反射壁面が湾曲される、請求項１に記載の発光モジュール。
【請求項９】
前記少なくとも１つの固体発光素子と前記部分的に拡散性の反射層との間に配置される実質的に透明な材料を含み、前記透明材は前記少なくとも１つの固体発光素子に光学的に結合される、請求項１から８のいずれか一項に記載の発光モジュール。
【請求項１０】
前記実質的に透明な材料が、前記部分的に拡散性の反射層に光学的且つ熱的にさらに結合される、請求項９に記載の発光モジュール。
【請求項１１】
前記実質的に透明な材料が、４４μｍよりも大きい又は１μｍよりも小さい粒子サイズを有する透光性の焼結多結晶アルミナである、請求項９又は１０に記載の発光モジュール。
【請求項１２】
ρＳＳＬ＞０．２５では０．８≦ｃ≦１が成立する、請求項１から１１のいずれか一項に記載の発光モジュール。
【請求項１３】
請求項１から１２のいずれか一項に記載の発光モジュールを含む、ランプ。
【請求項１４】
請求項１から１２のいずれか一項に記載の発光モジュール、又は請求項１３に記載のランプを含む、照明器具。
【請求項１５】
請求項１から１２のいずれか一項に記載の発光モジュールを含む、表示装置。